【事件の表示】
　特願２００４−　５１７８３「電子機器および通信機器の探索処理方法」拒絶査定不服審判事件〔平成１７年　９月　８日出願公開、特開２００５−２４４６０６〕について、次のとおり審決する。
【結　論】
　本件審判の請求は、成り立たない。
【理　由】
１．手続の経緯
　本願は、平成１６年２月２６日の出願であって、平成２１年６月１５日付けで拒絶査定がなされ、これに対し、平成２１年９月２４日に拒絶査定に対する審判請求がなされ、当審において平成２３年６月１５日付けで拒絶理由通知がなされ、平成２３年７月１４日付けで手続補正がなされたものである。
　
２．本願発明
　本願の請求項４に係る発明（以下、「本願発明」という。）は、平成２３年７月１４日付け手続補正書により補正された請求項４に記載された以下のとおりのものである。
　「無線通信によりデータ伝送を行う、外部からの探索に対して応答する相手機器を探索する探索手段と、
　前記探索手段による探索結果と、前記探索手段に再度の探索を指示する再探索指示ボタンとを表示画面に出力する表示処理手段と、
　前記探索結果の表示後、前記再探索指示ボタンが操作された場合に前記探索手段に再度の探索を指示する再探索指示手段と、
　を具備する電子機器。」
　　
３．引用例発明
　当審で通知した拒絶理由に引用された特開２００４−１３５６９号公報（以下、「引用例」という。）には、図面とともに以下の記載がある。
　
　イ．「【０００２】
【従来の技術】
近年、ＩｒＤＡ（ＩｎｆｒａＲｅｄ　Ｄａｔａ　Ａｓｓｏｃｉａｔｉｏｎ）やＢｌｕｅｔｏｏｔｈなどの近距離無線通信技術が広く普及している。
【０００３】
ＩｒＤＡは赤外線を用いた無線通信技術であり、ソフトウェアの設定のみで１．１５２Ｍｂｐｓおよび４Ｍｂｐｓの通信が可能である。
【０００４】
一方、Ｂｌｕｅｔｏｏｔｈは、２．４ＧＨｚ帯域を用いる無線伝送方式であり、赤外線を用いる場合と異なり、指向性がなく、浸透性が高い。Ｂｌｕｅｔｏｏｔｈは、例えば、パソコン、周辺機器、家電、携帯電話など、デバイスを問わないデータ交換を実現するインターフェイスとして期待されている。
【０００５】
Ｂｌｕｅｔｏｏｔｈ対応機器には、周波数ホッピングパターンを決定する「マスタ」と、マスタに従って通信する「スレーブ」が存在し、一台のマスタと複数（最高７台）のスレーブでネットワークが構成される。スレーブは、マスタが決めた周波数ホッピングパター
ンに同期して、マスタ−スレーブ間の通信を行う。機器間の通信は、常にマスタを通して行われ、スレーブ間で直接通信が行われることはない。
【０００６】
Ｂｌｕｅｔｏｏｔｈにおいて、通信相手の機器を選択する場合、マスタは、周りに存在する機器に対してブロードキャストで問い合わせ信号（Ｉｎｑｕｉｒｙ）を送信して、通信可能機器の探索を行い、スレーブからの応答を集めて、通信可能な機器の機種名や機器ＩＤなどの一覧を、表示画面上に表示し、その中から、通信相手の機器をユーザに選択させるという方法が一般的である。」
　
ロ．「【００５４】
図１は、本発明を適用した無線通信装置１の構成を示すブロック図である。無線通信装置１は、例えば、パーソナルコンピュータ、ＰＤＡ、携帯型電話機、カーナビゲーションシステム、あるいは時計など、無線通信の機能を有するあらゆる情報処理装置とすることが可能である。
【００５５】
無線通信装置１は、例えば、Ｂｌｕｅｔｏｏｔｈなどの通信方式を利用して、無線通信で、他の機器と情報を授受することが可能である。以下、無線通信装置１は、Ｂｌｕｅｔｏｏｔｈを利用して通信を行い、マスタとして、複数のスレーブと通信することができるものとして説明する。
【００５６】
ＣＰＵ１１は、無線通信装置１の各部の処理を制御するものであり、例えば、操作部１２から入力されるユーザの操作に基づいて、所定の情報をドライブ１３に装着されている記録媒体から読み込んでＲＯＭ（Ｒｅａｄ　Ｏｎｌｙ　Ｍｅｍｏｒｙ）１４に記憶させ、ＲＡＭ（Ｒａｎｄｏｍ　Ａｃｃｅｓｓ　Ｍｅｍｏｒｙ）１５に読み込ませて実行したり、無線通信以外の機能（例えば、無線通信装置１がパーソナルコンピュータなどである場合は、ソフトウェアプログラムの実行など、パーソナルコンピュータの一般的な機能）を実行するための処理を行う。
【００５７】
また、ＣＰＵ１１は、無線通信部１７による他の機器との情報の授受を制御する。ＣＰＵ１１は、検索開始操作部１６が操作されたことを検出した場合、その操作内容（例えば、
ボタンの押下回数、押下時間、押下強さ、もしくは押下速度、あるいは、レバーの移動量など）に基づいて、無線通信可能なスレーブを探索するために無線通信部１７がブロードキャスト（無線通信ネットワークに接続されるすべての機器が受信しなければならない通信）で送信する問い合わせ信号（Ｉｎｑｕｉｒｙ）の到達範囲を制御する。また、ＣＰＵ１１は、無線通信部１７が実行している通信処理の状態や結果に基づいて、探索状態表示部１８を制御して、ユーザに、通信処理の状態や結果を通知する。
【００５８】
操作部１２は、例えば、キー、ボタン、タッチパネルなどの入力デバイスにより構成され、ユーザから、探索開始操作部１６により操作される探索開始以外の操作入力を受け、操作内容をＣＰＵ１１に出力する。
【００５９】
ＲＯＭ１４は、ＣＰＵ１１が使用するプログラムや演算用のパラメータのうちの基本的に固定のデータを格納する。ＲＡＭ１５は、ＣＰＵ１１の実行において使用するプログラムや、その実行において適宜変化するパラメータを格納する。
【００６０】
探索開始操作部１６は、例えば、ボタン、ジョグダイヤル、タッチパッド、レバー、あるいはジョイスティックなどの入力デバイスにより構成され、ユーザがスレーブの探索の開始を指令する場合に操作される。探索開始操作部１６は、例えば、ボタンの押下回数、押下時間、押下強さ、押下速度、ジョグダイヤルの回転量、タッチパッドに指などが触れている時間、もしくはタッチパッド上の指などの移動量、レバーの移動量、あるいは、ジョイスティックの操作角度などを検出し、ＣＰＵ１１に出力する。
【００６１】
無線通信部１７は、ＣＰＵ１１の制御に従って無線通信動作を行う。無線通信制御部３１は、ＣＰＵ１１から供給される制御信号に従って、無線通信部１７内の他の部分を制御し、ＣＰＵ１１から供給される送信データを送信データ処理部３２に供給したり、受信データ処理部３６から供給された受信データを、ＣＰＵ１１に出力する。送信データ処理部３２は、無線通信制御部３１から入力された送信データを、ＲＦ信号に変換して、送信アンプ３３に出力する。
【００６２】
送信アンプ３３は、送信データ処理部３２から供給されたＲＦ信号を増幅して（すなわち、送信電力を増幅して）、アンテナ制御部３４に出力する。送信される情報が、無線通信可能なスレーブを探索するための問い合わせ信号である場合、無線通信制御部３１は、ＣＰＵ１１から供給される制御信号に従って、送信アンプ３３によるＲＦ信号の増幅の強度を制御することにより、問い合わせ信号の到達範囲を制御する。
【００６３】
アンテナ制御部３４は、無線通信制御部３１から供給される制御信号に従って、アンテナ２０との接続を、送信アンプ３３か、受信アンプ３５の、いずれかに切り替える。すなわち、アンテナ制御部３４は、送信アンプ３３から供給された増幅ＲＦ信号を、アンテナ２０から送信させたり、アンテナ２０が受信した受信信号を、受信アンプ３５に出力する。アンテナ２０は、供給されたＲＦ信号を輻射することによって無線信号を機器の外部に送信し、外部から送信されたＲＦ信号を受信する。すなわち、アンテナ２０は、送信にも受信にも兼用される
【００６４】
受信アンプ３５は、アンテナ制御部３４から入力された受信ＲＦ信号を増幅して、受信データ処理部３６に出力する。受信データ処理部２２は、受信アンプ３５から入力された増幅受信ＲＦ信号を、受信データに変換して、無線通信制御部３１に出力する。
【００６５】
探索状態表示部１８は、例えば、ＬＥＤ（Ｌｉｇｈｔ　Ｅｍｉｔｔｉｎｇ　Ｄｉｏｄｅ）などで構成され、ＣＰＵ１１の制御に基づいて、無線通信部１７が実行するスレーブの探索処理の状態、および探索結果に対応して、点灯、消灯、または点滅を行う。
【００６６】
表示部１９は、ＣＰＵ１１の制御に基づいて、供給されたテキスト、もしくは画像などを表示する。
【００６７】
また、ＣＰＵ１１には、必要に応じてドライブ１３が接続されており、ドライブ１３には、例えば、磁気ディスク２１、光ディスク２２、光磁気ディスク２３、および半導体メモリ２４が装着され、データの授受を行う。
【００６８】
次に、無線通信装置１の動作について説明する。
【００６９】
ユーザは、探索開始操作部１４を操作する。ＣＰＵ１１は、探索開始操作部１４の操作内容（例えば、ボタンの押下回数、押下時間、押下強さ、もしくは押下速度、あるいは、レバーの移動量など）に従って、無線通信部１７を制御し、問い合わせ信号を所定の範囲に送信させる。
【００７０】
無線通信部１７の無線通信制御部３１は、ＣＰＵ１１の制御に従って、送信データ処理部３２、送信アンプ３３、およびアンテナ制御部３４を制御して、アンテナ２０から、ブロードキャストで、問い合わせ信号を送信する。
【００７１】
ＣＰＵ１１は、無線通信部１７による問い合わせ信号の送信の間、探索状態表示部１８を制御して、現在、スレーブの探索中であることをユーザに通知する。通知方法の詳細については後述する。
【００７２】
そして、アンテナ２０が、所定の時間（たとえば、１０秒など）が経過しても、スレーブからの応答信号を１つも受信しなかった場合、ＣＰＵ１１は、探索状態表示部１８を制御して、スレーブがひとつも探索できなかったことをユーザに通知する。通知方法の詳細については後述する。
【００７３】
アンテナ２０が、所定の時間（たとえば、１０秒など）内に、スレーブからの応答信号を受信した場合、応答信号は、アンテナ制御部３４、受信アンプ３５、および受信データ処理部３６を介して、無線通信制御部３１に供給される。無線通信制御部３１は、ＣＰＵ１１に、スレーブからの応答信号の内容（例えば、応答したスレーブの機器ＩＤなど）を出力する。
【００７４】
ＣＰＵ１１は、探索状態表示部１８を制御して、スレーブが探索できたことをユーザに通知する。通知方法の詳細については後述する。スレーブが複数探索された場合、ＣＰＵ１１は、必要に応じて、通信相手となるスレーブを選択して、通信を確立し、スレーブとの情報の授受を開始する。
【００７５】
図２乃至図４は、探索開始操作部１６および探索状態表示部１８の構成例を示す。
【００７６】
図２において、探索状態ＬＥＤ４１は、探索状態表示部１８を構成するものであり、ＣＰＵ１１の制御に従って、点灯したり、消灯したり、あるいは、点滅したりする。また、探索状態ＬＥＤ４１が点滅する場合、ＣＰＵ１１の制御に従って、その点滅の間隔が制御されるようにしてもよいし、探索状態ＬＥＤ４１が点灯する場合、点灯時の色や、点灯の明るさが制御されたりするようにしてもよい。探索ボタン４２は、探索開始操作部１６を構成するものである。
【００７７】
図３は図２の探索状態ＬＥＤ４１と探索ボタン４２を一体に構成したもので、図２における場合と比較して、更に、ユーザが直感的に操作しやすく、簡単な形態となっている。
【００７８】
図４において、探索ボタン４２は、探索開始操作部１６を構成するものであり、近距離探索状態ＬＥＤ４３、および遠距離探索状態ＬＥＤ４４は、探索状態表示部１８を構成するものである。近距離探索状態ＬＥＤ４３は、主に、近距離のスレーブを探索中であることをユーザに通知し、遠距離探索状態ＬＥＤ４４は、主に、遠距離のスレーブを探索中であることをユーザに通知する。
【００７９】
近距離探索状態ＬＥＤ４３、および遠距離探索状態ＬＥＤ４４は、図２および図３の探索状態ＬＥＤ４１と同様に、ＣＰＵ１１の制御に従って、その点滅の間隔が制御されるようにしてもよいし、点灯時の色や、点灯の明るさが制御されるようにしてもよい。また、１つのＬＥＤを用いる場合と比較して、近距離探索状態ＬＥＤ４３、および遠距離探索状態ＬＥＤ４４の、点灯、消灯、もしくは点滅の組合せにより、スレーブの探索状態や探索結果について、多くの情報をユーザに通知することができる。
【００８０】
図２および図３においては、１つのＬＥＤを用いて、図４においては、２つのＬＥＤを用いて探索状態表示部１８を構成するものとして説明しているが、ＬＥＤの数は、２つ以下に制限されるものではない。上述したように、複数のＬＥＤによって探索状態表示部１８を構成することにより、スレーブの探索状態や探索結果について、多くの情報をユーザに通知することができるようになる。しかしながら、ＬＥＤの数を多くしすぎてしまっては、ユーザの直感的な判断を妨げてしまう結果になってしまうので、ここでは、１もしくは２つのＬＥＤを用いて探索状態表示部１８を構成するものとして説明する。
【００８１】
次に、図５のフローチャートを参照して、無線通信装置１によるスレーブの探索処理１について説明する。図５のフローチャートにおいては、図２および図３を用いて説明したように、探索開始操作部１６は探索ボタン４２で構成され、探索状態表示部１８は、検索状態ＬＥＤ４１で構成されているものとして説明する。
【００８２】
ステップＳ１において、ＣＰＵ１１は、探索開始操作部１６から供給される信号を基に、探索ボタン４２が操作されたか否かを判断する。ステップＳ１において、探索ボタン４２が操作されていないと判断された場合、探索ボタン４２が操作されたと判断されるまで、ステップＳ１の処理が繰り返される。
【００８３】
ステップＳ１において、探索ボタン４２が操作されたと判断された場合、ステップＳ２において、ＣＰＵ１１は、探索ボタン４２は１秒以上押下されたか否かを判断する。
【００８４】
ステップＳ２において、探索ボタン４２は１秒以上押下されたと判断された場合、ステップＳ３において、ＣＰＵ１１は、無線通信部１７を制御して、遠距離探索を行う。すなわち、無線通信制御部３１は、ＣＰＵ１１の制御に従って、送信データ処理部３２、送信アンプ３３、およびアンテナ制御部３４を制御して、アンテナ２０から、ブロードキャストで、問い合わせ信号を送信する。
【００８５】
このとき、無線通信制御部３１は、図６に示されるように、無線通信のマスタとして機能している無線通信装置１に対して、所定の範囲Ｃ１に問い合わせ信号が到達するように、送信アンプ３３による問い合わせ信号の増幅強度を制御する。この場合、スレーブとなる無線通信装置５１−１乃至無線通信装置５１−４のうち、範囲Ｃ１内に存在する無線通信装置５１−１乃至無線通信装置５１−３に問い合わせ信号が到達し、範囲Ｃ１外に存在する無線通信装置５１−４には、問い合わせ信号が到達しない。
【００８６】
以下、無線通信装置５１−１乃至無線通信装置５１−４を個々に区別する必要がない場合、単に無線通信装置５１と総称する。
【００８７】
ステップＳ４において、ＣＰＵ１１は、探索状態表示部１８を制御し、ユーザに、遠距離探索中であることを通知するために、探索状態ＬＥＤ４１を低速で点滅させる。
【００８８】
ステップＳ５において、ＣＰＵ１１は、探索開始から、例えば、１０秒などの、所定の時間が経過したか否かを判断する。ステップＳ５において、所定の時間が経過していないと判断された場合、処理は、ステップＳ３に戻り、それ以降の処理が繰り返される。
【００８９】
ステップＳ２において、探索ボタン４２は１秒以上押下されていないと判断された場合、ステップＳ６において、ＣＰＵ１１は、無線通信部１７を制御して、近距離探索を行う。すなわち、無線通信制御部３１は、ＣＰＵ１１の制御に従って、送信データ処理部３２、送信アンプ３３、およびアンテナ制御部３４を制御して、アンテナ２０から、ブロードキャストで、問い合わせ信号を送信する。
【００９０】
このとき、無線通信制御部３１は、無線通信のマスタとして機能している無線通信装置１に対して、ステップＳ３において実行された遠距離探索よりも近い所定の距離内の範囲Ｃ２に問い合わせ信号が到達するように、送信アンプ３３による問い合わせ信号の増幅強度を制御する。このとき、図７に示されるように、範囲Ｃ２内に存在するスレーブである無線通信装置５１−１のみに問い合わせ信号が到達する。
【００９１】
ステップＳ７において、ＣＰＵ１１は、探索状態表示部１８を制御し、ユーザに、近距離探索中であることを通知するために、探索状態ＬＥＤ４１を高速で点滅させる。
【００９２】
ステップＳ８において、ＣＰＵ１１は、探索開始から、例えば、１０秒などの、所定の時間が経過したか否かを判断する。ステップＳ８において、所定の時間が経過していないと判断された場合、処理は、ステップ６に戻り、それ以降の処理が繰り返される。
【００９３】
ステップＳ５において、所定の時間が経過したと判断された場合、もしくは、ステップＳ８において、所定の時間が経過したと判断された場合、ステップＳ９において、ＣＰＵ１１は、無線通信部１７から供給される信号を基に、スレーブを１つ以上発見したか否かを判断する。
【００９４】
ステップＳ９において、スレーブを１つ以上発見したと判断された場合、ステップＳ１０において、ＣＰＵ１１は、探索状態表示部１８を制御し、ユーザに、スレーブを１つ以上発見したことを通知するために、探索状態ＬＥＤ４１を連続点灯させて、処理が終了される。
【００９５】
ステップＳ９において、スレーブを発見していないと判断された場合、ステップＳ１１において、ＣＰＵ１１は、探索状態表示部１８を制御し、ユーザに、スレーブを発見できなかったことを通知するために、探索状態ＬＥＤ４１を消灯させて、処理が終了される。
【００９６】
図５のフローチャートを用いて説明した処理により、探索ボタン４２の押下時間に基づいて、探索範囲を変更することができるので、ユーザは、簡単な操作で、近距離探索と遠距離探索とを区別して指令することができる。従って、ユーザが、無線通信を行いたいマスタとスレーブを近づけることができる場合、マスタの近距離のみを探索させることにより、例えば、複数の機器ＩＤの表示の中から所望のものを選択するような操作を行うことなく、簡単な操作で、所望の機器同士の無線通信を確立することが可能となる。」
　
　引用例が前提とするＢｌｕｅｔｏｏｈは、無線通信によりデータ伝送を行うものであり、Ｂｌｕｅｔｏｏｈのマスタはスレーブを探索する機能を有し、スレーブはマスタからの探索に対して応答することは技術常識である。
　したがって、引用例のマスタである無線通信装置は、「マスタからの探索に対して応答するスレーブを探索する探索手段」を有するといえる。
　段落【００６５】等の記載によれば、探索状態表示部は、ＣＰＵの制御に基づいて、探索結果の表示を行うものであるから、引用例の無線通信装置は、「探索手段による探索結果を探索状態表示部に出力する表示処理手段」を有するといえる。
　段落【００８１】〜【００８９】の記載によれば、探索ボタンは、探索開始操作部を構成するものであるから、引用例の無線通信装置は、「探索ボタンが操作された場合に探索手段により探索を指示する探索指示手段」を有するものといえる。
　段落【００９６】の記載によれば、引用例の無線通信装置は、探索ボタンの押下時間に基づいて探索範囲を変更することができるものである。
　
　したがって、引用例には、技術常識を考慮すると、
　「無線通信によりデータ伝送を行う、マスタからの探索に対して応答するスレーブを探索する探索手段と、
　前記探索手段による探索結果を探索状態表示部に出力する表示処理手段と、
　探索ボタンが操作された場合に前記探索手段により探索を指示する探索指示手段と、
　を具備し、
　探索ボタンの押下時間に基づいて、探索範囲を変更することができる無線通信装置。」
の発明（以下、「引用例発明」という。）が開示されていると認めることができる。
　
４．対比
　本願発明と引用例発明とを対比する。
　引用例発明の「マスタ」、「スレーブ」は、本願発明の「外部」、「相手機器」にそれぞれ相当する。
　引用例発明の「探索状態表示部」と本願発明の「表示画面」とは、「表示部」である点で共通している。
　引用例発明の「探索ボタン」と本願発明の「再探索指示ボタン」とは、探索を指示する「探索指示ボタン」である点で共通している。
　引用例発明の「探索指示手段」と本願発明の「再探索指示手段」とは、「探索指示手段」である点で共通している。
　引用例発明の「無線通信装置」は、「電子機器」の一種である。
　　　
　したがって、本願発明と引用例発明とは、
「無線通信によりデータ伝送を行う、外部からの探索に対して応答する相手機器を探索する探索手段と、
　前記探索手段による探索結果を表示部に出力する表示処理手段と、
　探索指示ボタンが操作された場合に前記探索手段に探索を指示する探索指示手段と、
　を具備する電子機器。」
である点で一致し、以下の点で相違している。
　　
［相違点１］
　探索結果を表示する表示部が、本願発明では、「表示画面」であるのに対して、引用例発明では、「探索状態表示部」である点。
［相違点２］
　探索指示ボタンが、本願発明では、探索手段による探索結果とともに表示画面に出力されるものであるのに対して、引用例発明では、実際のボタンとして構成されるものである点。
［相違点３］
　探索手段に探索を指示する探索指示ボタンに関して、本願発明は、「探索手段に再度の探索を指示する再探索指示ボタン」であるのに対して、引用例発明は、「再度の探索」に特定されていない点。
［相違点４］
　探索指示手段が、本願発明では、「前記探索結果の表示後、前記再探索指示ボタンが操作された場合に前記探索手段に再度の探索を指示する再探索指示手段」であるのに対して、引用例発明は、そのようなものではない点。
　
５．当審の判断
　まず、相違点１について検討する。
　引用例の段落【０００６】には、「Ｂｌｕｅｔｏｏｔｈにおいて、通信相手の機器を選択する場合、マスタは、周りに存在する機器に対してブロードキャストで問い合わせ信号（Ｉｎｑｕｉｒｙ）を送信して、通信可能機器の探索を行い、スレーブからの応答を集めて、通信可能な機器の機種名や機器ＩＤなどの一覧を、表示画面上に表示し、その中から、通信相手の機器をユーザに選択させるという方法が一般的である。」と記載されており、Ｂｌｕｅｔｏｏｈにおいて、探索結果を表示画面に表示することは一般的であったといえる。
　したがって、引用例発明において、探索結果を表示する表示部として「表示画面」を採用することは格別のことではない。
　
　次に、相違点２〜４について検討する。
　引用例発明の「探索ボタン」は、その押下時間に基づいて探索範囲を変更することができるものであり、探索範囲を変更しながら、複数回の探索を行うことが想定されているものであるといえる。
　したがって、引用例発明の「探索ボタン」は、最初の探索を指示するものであるとともに、再度の探索を指示するものであることは明らかである。
　また、電子機器に「ボタン」を形成する手段として、実際のボタンを設けることに代えて、表示画面上にボタンを表示して、表示されたボタンを操作することは、慣用手段というべきものであるので、引用例発明の「探索ボタン」を表示画面に表示されたものとすることに困難性は認められない。
　また、最初の探索の結果により、再度の探索が必要となるわけであるから、最初の探索結果の表示と、再度の探索のための探索ボタンの表示とを同じ表示画面で行うようにして、最初の探索結果の表示後に、再度の探索を行うようにすることは、当業者が必要に応じて適宜なし得る事項である。
　したがって、相違点２〜４に係る構成を採用することは、当業者にとって容易なことである。
　
　そして、本願発明の作用効果も、引用例発明から当業者が予測できる範囲のものである。
　　　
６．むすび
　以上のとおり、本願発明は、引用例発明に基づいて、当業者が容易に発明をすることができたものであるから、特許法第２９条第２項の規定により特許を受けることができない。
　よって、結論のとおり審決する。